(57)【要約】【課題】エレベータシステムにおいて、変換ケーブルを要することなく、２つのエンコーダの相の違いを解消する。【解決手段】かご２と、つり合いおもり３と、かご２とつり合いおもり３とを連結する主ロープ４と、昇降路１の上部に設置され主ロープ４を駆動する巻上機５と、調速機ロープ６ｂ及び調速機プーリ６ｃ、６ｄを有する調速機６と、制御装置７と、を備えたエレベータシステムにおいて、調速機プーリ６ｄの回転軸には、調速機エンコーダ８が設置され、巻上機５の回転軸には、モータエンコーダ９が設置され、制御装置７は、調速機エンコーダ８から出力される第１の信号に基づき演算処理を行う第１の演算部７ａと、モータエンコーダ９から出力される第２の信号に基づき演算処理を行う第２の演算部７ｂと、を含み、第１の信号と第２の信号との相の対比をする機能を有し、当該相が異なる場合には、巻上機５の回転軸の回転方向を反転する制御信号を出力する。【選択図】図１
2016020246.tif 000002
【特許請求の範囲】
【請求項１】
かごと、つり合いおもりと、前記かごと前記つり合いおもりとを連結する主ロープと、昇降路の上部に設置され前記主ロープを駆動する巻上機と、調速機ロープ及び調速機プーリを有する調速機と、制御装置と、を備えたエレベータシステムにおいて、
前記調速機プーリの回転軸には、調速機エンコーダが設置され、
前記巻上機の回転軸には、モータエンコーダが設置され、
前記制御装置は、前記調速機エンコーダから出力される第１の信号に基づき演算処理を行う第１の演算部と、前記モータエンコーダから出力される第２の信号に基づき演算処理を行う第２の演算部と、を含み、前記第１の信号と前記第２の信号との相の対比をする機能を有し、当該相が異なる場合には、前記巻上機の回転軸の回転方向を反転する制御信号を出力することを特徴とするエレベータシステム。
【請求項２】
前記対比は、階高測定の際に行い、前記第１の信号及び前記第２の信号に基づく階高データの正負が異なる場合に、前記相が異なるとの判定をする、請求項１記載のエレベータシステム。
【請求項３】
前記判定は、前記階高測定における前記かごの初動時に行う、請求項２記載のエレベータシステム。
【発明の詳細な説明】
【技術分野】
【０００１】
本発明は、エレベータシステムに関する。
【背景技術】
【０００２】
電子安全システムを有するエレベータ装置の例としては、ＷＯ２００６／１０６５７４号公報（特許文献１）に記載されているものがある。特許文献１に記載のエレベータ装置は、調速機に取付けられた調速機エンコーダから出力される調速機エンコーダ信号を取り込み、かごの速度や変位量、運転方向を監視している。また、このエレベータ装置には、前述の調速機エンコーダとは別に、巻上機に取付けられたモータエンコーダを設置してある。このモータエンコーダから出力されるモータエンコーダ信号に基づいてかごの位置及び速度を求め、巻上機を制御している。
【先行技術文献】
【特許文献】
【０００３】
【特許文献１】ＷＯ２００６／１０６５７４号公報
【発明の概要】
【発明が解決しようとする課題】
【０００４】
特許文献１に記載のエレベータ装置は、調速機エンコーダ及びモータエンコーダの２系統のエンコーダにより制御を行うものである。このため、据付け先によっては、昇降路内における調速機の配置の違いから、調速機の回転方向と、かごの運転方向すなわちモータ軸の回転方向とが異なり、調速機エンコーダとモータエンコーダとの相が異なってしまうことがある。このような、いわゆる勝手違いが生じた場合、従来、変換ケーブルを用いてエンコーダのパルス出力の入れ替えを行う必要があった。
【０００５】
本発明は、前述した従来技術における実状からなされたもので、その目的は、エレベータシステムにおいて、変換ケーブルを要することなく、調速機エンコーダとモータエンコーダとの相の違いを解消することにある。
【課題を解決するための手段】
【０００６】
前記目的を達成するために、本発明は、かごと、つり合いおもりと、かごとつり合いおもりとを連結する主ロープと、昇降路の上部に設置され主ロープを駆動する巻上機と、調速機ロープ及び調速機プーリを有する調速機と、制御装置と、を備えたエレベータシステムにおいて、調速機プーリの回転軸には、調速機エンコーダが設置され、巻上機の回転軸には、モータエンコーダが設置され、制御装置は、調速機エンコーダから出力される第１の信号に基づき演算処理を行う第１の演算部と、モータエンコーダから出力される第２の信号に基づき演算処理を行う第２の演算部と、を含み、第１の信号と第２の信号との相の対比をする機能を有し、当該相が異なる場合には、巻上機の回転軸の回転方向を反転する制御信号を出力することを特徴とする。
【発明の効果】
【０００７】
本発明によれば、エレベータシステムにおいて、変換ケーブルを要することなく、調速機エンコーダとモータエンコーダとの相の違いを解消することができる。
【図面の簡単な説明】
【０００８】
【図１】本発明のエレベータシステムを示す概略構成図である。
【図２Ａ】エレベータシステムにおいて調速機エンコーダからの信号の相とモータエンコーダからの信号の相とが同一である場合を示す概略構成図である。
【図２Ｂ】エレベータシステムにおいて調速機エンコーダからの信号の相とモータエンコーダからの信号の相とが異なる場合を示す概略構成図である。
【図３】本発明のエレベータシステムの階高測定の際における処理手順を示すフローチャートである。
【発明を実施するための形態】
【０００９】
以下、本発明の実施の形態に係るエレベータシステムについて図面に基づいて説明する。
【実施例１】
【００１０】
図１は、本発明のエレベータシステムを示す概略構成図である。
【００１１】
本図に示すように、エレベータシステムは、かご２と、つり合いおもり３と、かご２とつり合いおもり３とを連結する主ロープ４と、昇降路１の上部に設置され主ロープ４を駆動する巻上機５と、調速機６と、を備えている。これらは、建屋に設けた昇降路１に設置されている。かご２及びつり合いおもり３は、昇降路１を昇降する昇降体である。調速機６は、かご２の昇降速度を監視し、かご２が所定の過速状態に陥ったときにかご２を非常停止させる機能を有する。また、エレベータシステムは、制御装置７を備えている。制御装置７は、調速機６からの信号を検出する機能、巻上機５を制御する機能等を有している。なお、制御装置７の設置位置は限定されない。
【００１２】
調速機６は、調速機ロープ６ｂと、上部調速機プーリ６ｃと、下部調速機プーリ６ｄと、を備えている。調速機ロープ６ｂは、無端状をなして昇降路１に配置され、その一部が連結部材６ａを介してかご２に連結されている。上部調速機プーリ６ｃは、調速ロープ６ｂの上端の湾曲部が巻き掛けられている。下部調速機プーリ６ｄは、昇降路１の下部に配設され、調速ロープ６ｂの下端の湾曲部が巻き掛けられている。下部調速機プーリ６ｄの回転軸には、調速機エンコーダ８が取付けられている。ここで、上部調速機プーリ６ｃ及び下部調速機プーリ６ｄはそれぞれ、調速機プーリともいう。なお、調速機エンコーダ８は、上部調速機プーリ６ｃに取付けてもよい。
【００１３】
かご２が昇降する際、調速機ロープ６ｂが移動し、かご２の走行速度に応じた回転速度で調速機プーリ６ｃ、６ｄが回転する。調速機エンコーダ８は、かご２の走行速度を機械的に検出する。この走行速度が過速度に達したことが検出されると、制御装置７からの信号により巻上機５又はかご２を非常停止する。検出する過速度としては、定格速度よりも高い第１の過速度と、第１の過速度よりも高い第２の過速度とが設定されている。そして、かご２の走行速度が第１の過速度に達すると、調速機６の図示しない過速度検出スイッチが投入され、電源遮断により巻上機５を非常停止する。一方、かご２の走行速度が第２の過速度に達すると、調速機ロープ６ｂが把持され、調速機ロープ６ｂの循環が停止し、かご２の下部等に設けられた図示しない非常止め装置が制動動作してかご２を機械的に非常停止する。
【００１４】
制御装置７は、エレベータに設置される安全装置を制御する安全マイコン７ａ（第１の演算部）と、エレベータの運転を制御するエレベータ制御マイコン７ｂ（第２の演算部）と、を有している。そして、安全マイコン７ａには、下部調速機プーリ６ｄの回転軸に取付けられた調速機エンコーダ８からの調速機エンコーダ信号（第１の信号）が入力され、安全マイコン７ａは、調速機エンコーダ信号を演算処理し、かごの速度や変位量、運転方向を監視している。一方、エレベータ制御マイコン７ｂには、巻上機５の回転軸に取付けられたモータエンコーダ９からのモータエンコーダ信号（第２の信号）が入力されており、エレベータ制御マイコン７ｂは、モータエンコーダ信号を演算処理し、かご２の位置及び速度を求め、巻上機５を制御している。
【００１５】
このように調速機６の下部調速機プーリ６ｄに取付けられた調速機エンコーダ８と巻上機５に取付けられたモータエンコーダ９との２系統のエンコーダにより制御を行うエレベータ本体を建屋に据付ける際、昇降路１内における調速機６の配置の違いから、調速機６の回転方向とかご２の運転方向が異なることがある。
【００１６】
すなわち、図１及び図２Ａに示すものは、図中、調速機６がかご２の右側に配置されている。この場合、巻上機５を図中、時計回りさせてかご２を上昇させると、調速機６の下部調速機プーリ６ｄも図中、時計回りとなり、調速機エンコーダ８とモータエンコーダ９の相は同一となる。
【００１７】
一方、図２Ｂに示すもののように、図中、調速機６がかご２の左側に配置されている場合、巻上機５を図中、時計回りさせてかご２を上昇させると、調速機６の下部調速機プーリ６ｄは図中、反時計回りとなり、調速機エンコーダ８とモータエンコーダ９の相が異なる。
【００１８】
言い換えると、制御装置７は、第１の信号と第２の信号との相の対比をする機能を有し、当該相が異なる場合には、巻上機５の回転軸の回転方向を反転する制御信号を出力する。
【００１９】
図３は、本発明のエレベータシステムの階高測定の際における処理手順を示すフローチャートである。
【００２０】
エレベータを建物の昇降路１に設置した後、立上げの際には、階高測定を行う。
【００２１】
本図に示すように、その階高測定を開始すると（Ｓ１）、制御装置７の安全マイコン７ａは、下部調速機プーリ６ｄの回転軸に取付けられた調速機エンコーダ８から送られる調速機エンコーダ信号に基づく階高データを取得する（Ｓ２）。一方、制御装置７のエレベータ制御マイコン７ｂは、巻上機５の回転軸に取付けられたモータエンコーダ９から送られるモータエンコーダ信号に基づく階高データを取得する（Ｓ３）。
【００２２】
次いで、制御装置７は、調速機エンコーダ８の階高データとモータエンコーダ９の階高データとの比較（対比）をする（Ｓ４）。
【００２３】
このとき、モータエンコーダ９の階高データが調速機エンコーダ８の階高データに対して負、すなわち図２Ｂの状態のように、調速機エンコーダ８とモータエンコーダ９との相が異なっているとなっていることを判断すると、エレベータ制御マイコン７ｂのかご運転方向を反転させる（Ｓ５）。これは、見かけ上、それぞれのマイコン７ａ、７ｂにおけるかご運転方向を同一とすることである。言い換えると、巻上機５の回転軸の回転方向を反転する制御信号を出力することである。
【００２４】
この後、階高測定を終了する（Ｓ６）。
【００２５】
一方、手順Ｓ４において、モータエンコーダ９の階高データが調速機エンコーダ８の階高データに対して負とならない場合、すなわち図２Ａの状態のように、調速機エンコーダ８とモータエンコーダ９との相が同一であると判定し、手順Ｓ５の反転処理を行うことなく、手順Ｓ６として、階高測定を終了する。
【００２６】
上記の判定は、階高測定におけるかごの初動時に行うことが望ましい。早期に２つのエンコーダの相を一致させた方が望ましいからである。また、かごの移動距離は階高より短くてもよく、階高の１０％程度であっても判定は可能である。
【００２７】
本実施の形態によれば、始動運転時に第１のエンコーダ信号と第２のエンコーダ信号との相が異なる場合、すなわち、階高測定運転時にモータエンコーダ９の階高データが調速機エンコーダ８の階高データに対して負となる場合に、制御装置７からの信号によりエレベータ制御マイコン７ｂにおけるかご運転方向を反転する。これにより、見かけ上、それぞれのマイコン７ａ、７ｂにおけるかご運転方向を同一とする。このように変換ケーブルを要することなく２つのエンコーダ８、９の相の違いを解消することができ、したがって、低コストの装置とすることができる。
【００２８】
また、エレベータの立上げ時に行う階高測定の際に、調速機エンコーダ８とモータエンコーダ９との相が異なっているかどうかを判断し、必要に応じてエレベータ制御マイコン７ｂにおけるかご運転方向を反転する処理を行うことにより、効率良くエレベータの初期設定を行うことができる。
【００２９】
図３においては、階高測定の際に対比を行っているが、本発明は、これに限定されるものではなく、エレベータを建物の昇降路に設置した後、階高測定以外の試運転の際に、第１の信号と第２の信号との相の対比を行ってもよい。
【００３０】
なお、前述した実施の形態は本発明を分かりやすく説明するために詳細に説明したものであり、必ずしも説明した全ての構成を備えるものに限定されるものではない。また、各実施の形態の構成の一部について、他の構成の追加・削除・置き換えをすることが可能である。例えば、前述した実施の形態では、一方のエンコーダをモータエンコーダ９、他方のエンコーダを調速機エンコーダ８とし、モータエンコーダ９の階高データが調速機エンコーダ８の階高データに対して負となったときに、エレベータ制御マイコン７ｂにおけるかご運転方向を反転するようにしたが、本発明はこれに限らず、一方のエンコーダを調速機エンコーダ８、他方のエンコーダをモータエンコーダ９とし、調速機エンコーダ８の階高データがモータエンコーダ９の階高データに対して負となったときに、安全マイコン７ａにおけるかご運転方向を反転させるようにしてもよい。
【符号の説明】
【００３１】
１：昇降路、２：かご、３：つり合いおもり、４：主ロープ、５：巻上機、６：調速機、６ａ：連結部材、６ｂ：調速機ロープ、６ｃ：上部調速機プーリ、６ｄ：下部調速機プーリ、７：制御装置、７ａ：安全マイコン、７ｂ：エレベータ制御マイコン、８：調速機エンコーダ、９：モータエンコーダ。
【図１】
2016020246.tif 000003
【図２Ａ】
2016020246.tif 000004
【図２Ｂ】
2016020246.tif 000005
【図３】
2016020246.tif 000006